(57)【要約】【課題】線間電圧を安全かつ容易にしかも正確に測定し得る非接触型の線間電圧測定装置を提供する。【解決手段】被覆電線１００ａ，１００ｂの電圧を非接触で検出する一対の測定ユニット２ａ，２ｂを備えて、各測定ユニット２ａ，２ｂによってそれぞれ検出された被覆電線１００ａ，１００ｂの各電圧の差分電圧を各被覆電線１００ａ，１００ｂの間の線間電圧として測定可能に構成され、各測定ユニット２ａ，２ｂは、片手で保持可能にそれぞれ構成され、各構成要素が各測定ユニット２ａ，２ｂのいずれかに収容または配設されて構成されている。【選択図】図３
2009244131.tif 000002
【特許請求の範囲】
【請求項１】
電線の電圧を非接触で検出する一対の測定ユニットを備えて、当該各測定ユニットによってそれぞれ検出された２つの前記電線の各電圧の差分電圧を当該各電線の間の線間電圧として測定する線間電圧測定装置であって、
前記各測定ユニットは、片手で保持可能にそれぞれ構成され、
当該線間電圧測定装置を構成する各構成要素が前記各測定ユニットのいずれかに収容または配設されて構成されている線間電圧測定装置。
【請求項２】
電源部を収容する電源収容部と、前記電源部からの電力を接断するための接断操作部を備え、
前記電源収容部は、前記各測定ユニットの一方に形成され、
前記接断操作部は、前記各測定ユニットの他方に配設されている請求項１記載の線間電圧測定装置。
【請求項３】
前記線間電圧を表示する表示部を備え、
前記表示部は、前記他方の測定ユニットに配設されている請求項２記載の線間電圧測定装置。
【請求項４】
前記表示部は、前記線間電圧の大きさをバーグラフで表示可能に構成されている請求項３記載の線間電圧測定装置。
【請求項５】
前記線間電圧の測定を指示するための測定操作部を備え、
前記測定操作部は、前記他方の測定ユニットに配設されている請求項２から４のいずれかに記載の線間電圧測定装置。
【請求項６】
前記各測定ユニットの先端部にそれぞれ収容された前記電圧を検出するための電極を備え、
前記先端部は、前記電線に当接される当接面が凹状に湾曲する湾曲面に形成されている請求項１から５のいずれかに記載の線間電圧測定装置。
【請求項７】
前記各測定ユニットの少なくとも一方に配設されて、当該測定ユニットの前方を照明する照明部を備えている請求項１から６のいずれかに記載の線間電圧測定装置。
【請求項８】
前記各測定ユニットを把持する把持部の先端部位に取り付けられた鍔部を備えている請求項１から７のいずれかに記載の線間電圧測定装置。
【請求項９】
前記線間電圧の大きさを識別可能な態様で音を発生する発音部を備えている請求項１から８のいずれかに記載の線間電圧測定装置。
【請求項１０】
所定の確度での前記線間電圧の測定が可能となったときにその旨を報知する報知部を備えている請求項１から９のいずれかに記載の線間電圧測定装置。
【発明の詳細な説明】
【技術分野】
【０００１】
本発明は、２つの電線の間の線間電圧を非接触で測定する線間電圧測定装置に関するものである。
【背景技術】
【０００２】
この種の線間電圧測定装置として、特開２００２−５５１２６号公報に開示された非接触電圧計が知られている。この非接触電圧計（同公報における他の実施形態）は、計測手段、増幅手段およびノイズ除去手段をそれぞれ２つ備えると共に、演算手段を備えて、２つの電線の間の線間電圧を測定可能に構成されている。この非接触電圧計では、各計測手段が、２つの電線における電線被覆の周囲にそれぞれ配設された各導電体（検出電極）と各電線の導電線との間の静電容量に基づいて各導電体と接地との間の電流経路に流れる電流をそれぞれ計測する。また、各増幅手段が、計測された電流値に対応する信号をそれぞれ増幅し、各ノイズ除去手段が、増幅された各信号中のノイズ成分を除去する。さらに、演算手段が、ノイズ除去後の信号を演算処理して、２つの電線の間の線間電圧を測定する。
【特許文献１】特開２００２−５５１２６号公報（第４−５頁、第５図）
【発明の開示】
【発明が解決しようとする課題】
【０００３】
ところが、上記の非接触電圧計には、以下の問題点がある。すなわち、上記の非接触電圧計を含むこの種の線間電圧測定装置では、一般的に、上記した計測手段、増幅手段、ノイズ除去手段および演算手段などの電気回路や、測定された線間電圧を表示する表示部が収容または配設された本体部と、検出電極とが別体に構成されている。このため、測定の際には、測定者は、２つの検出電極を両手で１つずつ保持して測定対象の電線に当接（近接）させ、その状態で本体部の表示部に表示された線間電圧の値を読み取る必要がある。この場合、線間電圧の値を読み取る際には、検出電極から目を離すこととなるため、例えば、測定対象の電線の付近に高圧線が配線されているときには、検出電極が高電線に接触する危険性がある。また、本体部を置くスペースが無い狭い測定現場において測定を行う際には、本体部を肩や首に掛けて無理な体勢での測定を余儀なくされるため、測定者に負担が掛かることとなる。さらに、この種の線間電圧測定装置を用いて線間電圧を正確に測定するためには、検出電極を電線に確実に当接（十分に近接）させる必要がある。しかしながら、上記したように、線間電圧の値を読み取る際に検出電極から目を離したり、無理な体勢で測定を行ったりすることに起因して、検出電極が電線から離反して、正確な測定が困難となるおそれもある。
【０００４】
本発明は、かかる問題点に鑑みてなされたものであり、線間電圧を安全かつ容易にしかも正確に測定し得る非接触型の線間電圧測定装置を提供することを主目的とする。
【課題を解決するための手段】
【０００５】
上記目的を達成すべく請求項１記載の線間電圧測定装置は、電線の電圧を非接触で検出する一対の測定ユニットを備えて、当該各測定ユニットによってそれぞれ検出された２つの前記電線の各電圧の差分電圧を当該各電線の間の線間電圧として測定する線間電圧測定装置であって、前記各測定ユニットは、片手で保持可能にそれぞれ構成され、当該線間電圧測定装置を構成する各構成要素が前記各測定ユニットのいずれかに収容または配設されて構成されている。
【０００６】
また、請求項２記載の線間電圧測定装置は、請求項１記載の線間電圧測定装置において、電源部を収容する電源収容部と、前記電源部からの電力を接断するための接断操作部を備え、前記電源収容部は、前記各測定ユニットの一方に形成され、前記接断操作部は、前記各測定ユニットの他方に配設されている。
【０００７】
また、請求項３記載の線間電圧測定装置は、請求項２記載の線間電圧測定装置において、前記線間電圧を表示する表示部を備え、前記表示部は、前記他方の測定ユニットに配設されている。
【０００８】
また、請求項４記載の線間電圧測定装置は、請求項３記載の線間電圧測定装置において、前記表示部は、前記線間電圧の大きさをバーグラフで表示可能に構成されている。
【０００９】
また、請求項５記載の線間電圧測定装置は、請求項２から４のいずれかに記載の線間電圧測定装置において、前記線間電圧の測定を指示するための測定操作部を備え、前記測定操作部は、前記他方の測定ユニットに配設されている。
【００１０】
また、請求項６記載の線間電圧測定装置は、請求項１から５のいずれかに記載の線間電圧測定装置において、前記各測定ユニットの先端部にそれぞれ収容された前記電圧を検出するための電極を備え、前記先端部は、前記電線に当接される当接面が凹状に湾曲する湾曲面に形成されている。
【００１１】
また、請求項７記載の線間電圧測定装置は、請求項１から６のいずれかに記載の線間電圧測定装置において、前記各測定ユニットの少なくとも一方に配設されて、当該測定ユニットの前方を照明する照明部を備えている。
【００１２】
また、請求項８記載の線間電圧測定装置は、請求項１から７のいずれかに記載の線間電圧測定装置において、前記各測定ユニットを把持する把持部の先端部位に取り付けられた鍔部を備えている請求項１から７のいずれかに記載の線間電圧測定装置。
【００１３】
また、請求項９記載の線間電圧測定装置は、請求項１から８のいずれかに記載の線間電圧測定装置において、前記線間電圧の大きさを識別可能な態様で音を発生する発音部を備えている。
【００１４】
また、請求項１０記載の線間電圧測定装置は、請求項１から９のいずれかに記載の線間電圧測定装置において、所定の確度での前記線間電圧の測定が可能となったときにその旨を報知する報知部を備えている。
【発明の効果】
【００１５】
請求項１記載の線間電圧測定装置によれば、一対の測定ユニットを片手で保持可能にそれぞれ構成すると共に、線間電圧測定装置を構成する各構成要素を各測定ユニットのいずれかに収容または配設したことにより、本体部と検出電極とが別体に構成されている従来の線間電圧測定装置とは異なり、電線に当接させた測定ユニットの先端部からを目を離すことなく、操作部の操作や表示部に表示された線間電圧の値の読み取りを行うことができる結果、例えば、測定対象の電線の付近に高圧線が配線されているときに、測定ユニットの先端部からを目を離すことに起因してこの高圧線に先端部が接触する危険性を十分に低減することができる。また、この線間電圧測定装置によれば、狭い測定現場において測定を行う際においても、本体部を肩や首に掛けての無理な体勢での測定を余儀なくされることがないため、測定を容易に行うことができる。また、この線間電圧測定装置によれば、測定ユニットの先端部から目を離したり、無理な体勢で測定を行ったりすることを避けることができるため、測定ユニットの先端部が電線から離反して正確な測定が困難となる事態を防止することができる。
【００１６】
また、請求項２記載の線間電圧測定装置によれば、電源収容部を形成した測定ユニットとは異なる測定ユニットに接断操作部を配設したことにより、接断操作部を配設した測定ユニットが電源収容部を形成した測定ユニットよりも軽量のため、接断操作部を操作する際の操作性を十分に向上させることができる。
【００１７】
また、請求項３記載の線間電圧測定装置によれば、電源収容部を形成した測定ユニットとは異なる測定ユニットに表示部を配設したことにより、表示部を配設した測定ユニットが電源収容部を形成した測定ユニットよりも軽量のため、例えば、表示部に表示される線間電圧の値を読み取り易くするために測定ユニットを移動させる際の操作性を十分に向上させることができる。
【００１８】
また、請求項４記載の線間電圧測定装置によれば、線間電圧の大きさをバーグラフで表示可能に表示部を構成したことにより、線間電圧の値をバーグラフによって直感的に認識させることができる。
【００１９】
また、請求項５記載の線間電圧測定装置によれば、電源収容部を形成した測定ユニットとは異なる測定ユニットに測定操作部を配設したことにより、測定操作部を配設した測定ユニットが電源収容部を形成した測定ユニットよりも軽量のため、測定操作部を操作する際の操作性を十分に向上させることができる。
【００２０】
また、請求項６記載の線間電圧測定装置によれば、各測定ユニットにおける先端部の当接面を凹状に湾曲する湾曲面に形成したことにより、当接面の全域またはほぼ全域と電線の外周面とを面的に当接させることができるため、先端部と電線との位置ずれを防止することができる。
【００２１】
また、請求項７記載の線間電圧測定装置によれば、各測定ユニットの少なくとも一方に照明部を配設したことにより、例えば、電線が物陰に存在していたり、測定現場の照度が低い場合であっても、測定ユニットの先端部の前方、つまり測定対象の電線を照明することができため、測定作業を安全かつ容易に行うことができる。
【００２２】
また、請求項８記載の線間電圧測定装置によれば、各測定ユニットにおける把持部の先端部位に鍔部を取り付けたことにより、例えば、測定対象の電線の近傍に高圧線が配設されている測定現場において、測定ユニットを把持している手が測定中に滑ったとしても、高圧線に手が接触する事態を確実に防止することができる。
【００２３】
また、請求項９記載の線間電圧測定装置によれば、線間電圧の大きさを識別可能な態様で音を発生する発音部を備えたことにより、例えば、電線が狭い場所に存在していたり、電線の近傍に障害物が存在していたりして、表示部を視認するのが困難な場合であっても、線間電圧の値を確実に認識することができる。
【００２４】
また、請求項１０記載の線間電圧測定装置によれば、所定の確度での線間電圧の測定が可能となったときにその旨を報知する報知部を備えたことにより、線間電圧のより正確な測定を行うことができる。
【発明を実施するための最良の形態】
【００２５】
以下、本発明に係る線間電圧測定装置の最良の形態について、添付図面を参照して説明する。
【００２６】
最初に、線間電圧測定装置１の構成について説明する。図１に示す線間電圧測定装置１は、本発明に係る非接触型の線間電圧測定装置の一例であって、測定対象の２つの電線（例えば、図３に示す被覆電線１００ａ，１００ｂ（以下、区別しないときには「被覆電線１００」ともいう））の間の線間電圧Ｖｄ（図２参照）を非接触で測定可能に構成されている。具体的には、線間電圧測定装置１は、図１，２に示すように、一対の測定ユニット２ａ，２ｂ（以下、区別しないときには「測定ユニット２」ともいう）を備えて構成されている。
【００２７】
測定ユニット２ａは、図１，２に示すように、ケース本体３ａ、検出部４ａ、測定部５ａおよびランプ６ａ（本発明における照明部）を備えて、片手で保持可能な（大きさや重さが片手で保持可能に規定された：後述する測定ユニット２ｂでも同様）全体として円柱状に構成されている。また、測定ユニット２ａの先端部２２（図１における上端部）は、測定時において被覆電線１００に当接される当接面が凹状に湾曲する湾曲面に形成されている（図３も参照）。一方、測定ユニット２ｂは、図１，２に示すように、ケース本体３ｂ、検出部４ｂ、測定部５ｂ、ランプ６ｂ（本発明における照明部）、操作部７、表示部８および制御部９を備えて、片手で保持可能でかつ全体として測定ユニット２ａと同様の形状に構成されている。なお、検出部４ａおよび検出部４ｂ、測定部５ａおよび測定部５ｂ、ランプ６ａおよびランプ６ｂは、互いに同じ機能を有している。したがって、以下の説明において、検出部４ａ，４ｂを区別しないときには単に「検出部４」ともいい、測定部５ａ，５ｂを区別しないときには単に「測定部５」ともいい、ランプ６ａ，６ｂを区別しないときには単に「ランプ６」ともいう。
【００２８】
ケース本体３ａは、検出部４ａ、測定部５ａおよびランプ６ａを収容または配設可能に構成されている。また、ケース本体３ａには、図１，２に示すように、バッテリー１０（本発明における電源部）を収容するバッテリー収容部３１（本発明における電源収容部）が形成されている。ケース本体３ｂは、上記したバッテリー収容部３１を備えていない点を除いて、全体としてケース本体３ａとほぼ同じ形状に形成されて、検出部４ｂ、測定部５ｂおよびランプ６ｂ、操作部７、表示部８および制御部９を収容または配設可能に構成されている。また、両ケース本体３ａ，３ｂの基端部２１（図１における下側端部）には、接続端子５１（図２参照）がそれぞれ取り付けられており、各接続端子５１は、ケーブル５２で接続されている。この場合、ケーブル５２は、後述する電圧データＤｖを送信する導線、制御部９から出力される制御信号を送信する導線、測定ユニット２ａの接続端子５１と測定ユニット２ｂの接続端子５１とを同電位に維持するための導線、およびバッテリー１０からの電力を測定ユニット２ａ，２ｂの各構成要素に供給するための導線等で構成されている。
【００２９】
検出部４は、例えば、図２に示す検出電極４１（本発明における電極）、並びに図外の可変容量回路、電流検出回路および増幅回路を備えて構成され、被覆電線１００との間の静電容量に基づき、被覆電線１００に供給されている交流電圧を、一例として、特開２００７−１３２９２６号公報において出願人が開示した公知の検出方法によって検出して、検出信号Ｓｄを出力する。この場合、検出電極４１は、測定ユニット２ａ，２ｂの先端部２２に収容されている。測定部５は、検出部４から出力された検出信号Ｓｄと基準電位（例えば接続端子５１の電位Ｖｒｅｆ）とに基づいて被覆電線１００に供給されている交流電圧（具体的には、被覆電線１００と電位Ｖｒｅｆとの間の電圧）の値を、例えば、同公報において出願人が開示した公知の測定方法によって測定して、その測定値についての電圧データＤｖを出力する。
【００３０】
ランプ６は、図１に示すように、ケース本体３ａ，３ｂの先端部側にそれぞれ配設されて、後述する操作部７における照明ボタン７３の操作に応じて発光して測定ユニット２ａ，２ｂの前方を照明する。操作部７は、ケース本体３ｂに配設された電源スイッチ７１（本発明における接断操作部）、測定ボタン７２（本発明における測定操作部）および照明ボタン７３（いずれも図１参照）を備えて構成されている。この場合、電源スイッチ７１が操作されたときには、ケーブル５２の導線が接続されて、バッテリー１０からの電力が測定ユニット２ａ，２ｂの各構成要素に供給される。また、測定ボタン７２が操作されたときには、制御部９による測定が開始される。さらに、照明ボタン７３が操作されたときには、ランプ６ａ，６ｂに対する電力の供給開始および供給停止が行われる。
【００３１】
表示部８は、例えば、液晶ディスプレイで構成されて、図１に示すように、ケース本体３ｂに配設されている。制御部９は、検出部４ａ，４ｂおよび測定部５ａ，５ｂを制御する。また、制御部９は、測定部５ａ，５ｂから出力された電圧データＤｖによって特定される（つまり、各測定ユニット２ａ，２ｂによって検出された）２つの被覆電線１００ａ，１００ｂの各電圧（被覆電線１００ａと電位Ｖｒｅｆとの間の電圧、および被覆電線１００ｂと電位Ｖｒｅｆとの間の電圧）の差分電圧を線間電圧Ｖｄとして測定（算出）すると共に、その線間電圧Ｖｄの値を表示部８に表示させる。
【００３２】
次に、線間電圧測定装置１を用いて測定対象としての被覆電線１００ａ，１００ｂの間の線間電圧Ｖｄを測定する方法について、図面を参照して説明する。
【００３３】
まず、操作部７の電源スイッチ７１（図１参照）を操作する。この際に、バッテリー１０からの電力が、測定ユニット２ａの各構成要素に供給されると共に、接続端子５１を介して測定ユニット２ｂの各構成要素に供給される。次いで、各々の中央部２３（本発明における把持部：同図参照）を把持して測定ユニット２ａ，２ｂを両手で１つずつ保持し、続いて、図３に示すように、各々の先端部２２の当接面を被覆電線１００ａ，１００ｂにそれぞれ当接させる。この際に、各測定ユニット２ａ，２ｂの検出部４が、被覆電線１００との間の静電容量に基づいて被覆電線１００に供給されている交流電圧を検出して、検出信号Ｓｄを測定部５にそれぞれ出力する。この場合、先端部２２の当接面が凹状に湾曲する湾曲面に形成されているため、当接面の全域またはほぼ全域と被覆電線１００の外周面とが面的に当接する結果、先端部２２と被覆電線１００との位置ずれが防止される。次いで、各測定ユニット２ａ，２ｂの測定部５が、検出部４から出力された検出信号Ｓｄおよび接続端子５１の電位Ｖｒｅｆに基づいて各被覆電線１００ａ，１００ｂに供給されている交流電圧（被覆電線１００ａと電位Ｖｒｅｆとの間の電圧、および被覆電線１００ｂと電位Ｖｒｅｆとの間の電圧）の値を測定して、その測定値についての電圧データＤｖをそれぞれ出力する。
【００３４】
一方、線間電圧Ｖｄの値を表示部８に表示させるときには、操作部７の測定ボタン７２を操作する。この際に、制御部９が、その操作（測定指示）に応じて、測定ユニット２ａの測定部５ａから出力されて、ケーブル５２を介して入力した電圧データＤｖによって特定される（つまり、測定ユニット２ａによって検出された）被覆電線１００ａの電圧（被覆電線１００ａと電位Ｖｒｅｆとの間の電圧）と、測定ユニット２ｂの測定部５ｂから出力された電圧データＤｖによって特定される（つまり、測定ユニット２ｂによって検出された）被覆電線１００ｂの電圧（被覆電線１００ｂと電位Ｖｒｅｆとの間の電圧）との差分電圧を線間電圧Ｖｄとして測定する。続いて、制御部９は、図３に示すように、測定した線間電圧Ｖｄの値を示す数字を表示部８に表示させる。
【００３５】
この場合、この線間電圧測定装置１では、各測定ユニット２ａ，２ｂが片手で保持可能に構成されると共に、操作部７や表示部８を含む線間電圧測定装置１を構成する全ての構成要素が各測定ユニット２ａ，２ｂのいずれかに収容または配設されて構成されている。このため、本体部と検出電極とが別体に構成されている従来の線間電圧測定装置とは異なり、被覆電線１００ａ，１００ｂに当接させた測定ユニット２ａ，２ｂの先端部２２から目を離すことなく、操作部７の電源スイッチ７１や各ボタン７２，７３の操作、および表示部８に表示された線間電圧Ｖｄの値の読み取りを行うことが可能となっている。この結果、測定ユニット２ａ，２ｂの先端部２２から目を離すことに起因して、例えば、被覆電線１００ａ，１００ｂの付近に高圧線が配線されているときに、この高圧線に先端部２２が接触する危険性を十分に低減する（つまり安全に測定作業を行う）ことが可能となっている。また、狭い測定現場において測定を行う際においても、本体部を肩や首に掛けての無理な体勢での測定を余儀なくされることがないため、測定を容易に行うことが可能となっている。また、測定ユニット２ａ，２ｂの先端部２２から目を離したり、無理な体勢で測定を行ったりすることを避けることができるため、測定ユニット２ａ，２ｂの先端部２２が被覆電線１００ａ，１００ｂから離反して正確な測定が困難となる事態を防止することも可能となっている。
【００３６】
一方、例えば、測定対象の被覆電線１００ａ，１００ｂが物陰に存在していたり、測定現場の照度が低いことに起因して、被覆電線１００ａ，１００ｂを視認することが困難なときには、操作部７の照明ボタン７３を操作する。この際に、バッテリー１０からの電力の供給によってランプ６ａ，６ｂが発光し、これにより、測定ユニット２ａ，２ｂの先端部２２の前方、つまり測定対象の被覆電線１００ａ，１００ｂが照明される。このため、測定ユニット２ａ，２ｂの先端部２２を当接させるべき部位を確実に視認させることができる結果、測定作業を安全かつ容易に行うことが可能となる。
【００３７】
このように、この線間電圧測定装置１によれば、２つの測定ユニット２ａ，２ｂを片手で保持可能にそれぞれ構成すると共に、線間電圧測定装置１を構成する各構成要素を両測定ユニット２ａ，２ｂのいずれかに収容または配設したことにより、本体部と検出電極とが別体に構成されている従来の線間電圧測定装置とは異なり、被覆電線１００ａ，１００ｂに当接させた測定ユニット２ａ，２ｂの先端部２２からを目を離すことなく、操作部７の操作、および表示部８に表示された線間電圧Ｖｄの値の読み取りを行うことができる結果、被覆電線１００ａ，１００ｂの付近に配線されている高圧線に対して、測定ユニット２ａ，２ｂの先端部２２からを目を離すことに起因して先端部２２が接触する危険性を十分に低減することができる。また、この線間電圧測定装置１によれば、狭い測定現場において測定を行う際においても、本体部を肩や首に掛けての無理な体勢での測定を余儀なくされることがないため、測定を容易に行うことができる。また、この線間電圧測定装置１によれば、測定ユニット２ａ，２ｂの先端部２２から目を離したり、無理な体勢で測定を行ったりすることを避けることができるため、測定ユニット２ａ，２ｂの先端部２２が被覆電線１００ａ，１００ｂから離反して正確な測定が困難となる事態を防止することができる。
【００３８】
また、この線間電圧測定装置１によれば、バッテリー収容部３１が形成された測定ユニット２ａとは異なる測定ユニット２ｂに電源スイッチ７１を配設したことにより、電源スイッチ７１を配設した測定ユニット２ｂが測定ユニット２ａよりも軽量のため、電源スイッチ７１を操作する際の操作性を十分に向上させることができる。
【００３９】
また、この線間電圧測定装置１によれば、バッテリー収容部３１が形成された測定ユニット２ａとは異なる測定ユニット２ｂに表示部８を配設したことにより、表示部８を配設した測定ユニット２ｂが測定ユニット２ａよりも軽量のため、例えば、表示部８に表示される線間電圧Ｖｄの値を読み取り易くするために測定ユニット２ｂを移動させる際の操作性を十分に向上させることができる。
【００４０】
さらに、この線間電圧測定装置１によれば、バッテリー収容部３１が形成された測定ユニット２ａとは異なる測定ユニット２ｂに測定ボタン７２を配設したことにより、測定ボタン７２を配設した測定ユニット２ｂが測定ユニット２ａよりも軽量のため、測定ボタン７２を操作する際の操作性を十分に向上させることができる。
【００４１】
また、この線間電圧測定装置１によれば、各測定ユニット２ａ，２ｂにおける先端部２２の当接面を凹状に湾曲する湾曲面に形成したことにより、当接面の全域またはほぼ全域と被覆電線１００の外周面とを面的に当接させることができるため、先端部２２と被覆電線１００との位置ずれを防止することができる。
【００４２】
また、この線間電圧測定装置１によれば、各測定ユニット２ａ，２ｂにランプ６を配設したことにより、例えば、被覆電線１００が物陰に存在していたり、測定現場の照度が低い場合であっても、測定ユニット２ａ，２ｂの先端部２２の前方、つまり測定対象の被覆電線１００を照明することができため、測定作業を安全かつ容易に行うことができる。
【００４３】
なお、本発明は、上記した構成に限定されない。例えば、測定ユニット２ａ，２ｂを全体として円柱状に構成した例について上記したが、測定ユニット２ａ，２ｂの形状はこれに限定されず、片手で保持可能な任意の形状に構成することができる。一例として、図４に示すように、把持部１２３（同図における左側部分）と、検出部４や表示部８が収容（配設）された先端部１２２側の部分（同図における右側部分）とが所定の角度をなす形状（ガンタイプ）に構成した測定ユニット１０２を採用することができる。
【００４４】
また、図４，５に示すように、測定ユニット１０２における把持部１２３の先端部位（または、測定ユニット２における中央部２３（把持部）の先端部位）に鍔部２０１ａ（または鍔部２０１ｂ）を取り付けた構成を採用することもできる。この構成によれば、この鍔部２０１ａ，２０１ｂを取り付けたことで、例えば、測定対象の被覆電線１００の近傍に高圧線が配設されている測定現場において、測定ユニット１０２や測定ユニット２を把持している手が測定中に滑ったとしても、高圧線に手が接触する事態を確実に防止することができる。
【００４５】
また、発音部を設けて、線間電圧Ｖｄの大きさを識別可能な音をその発音部から発生させる構成を採用することもできる。この場合、音の発生の態様としては、例えば、ブザー音を線間電圧Ｖｄが大きいほど大きく小さいほど小さく発生させる構成を採用することもできるし、線間電圧Ｖｄの値を言葉で音声案内する構成を採用することもできる。この構成によれば、例えば、被覆電線１００ａ，１００ｂが狭い場所に存在していたり、被覆電線１００の近傍に障害物が存在していたりして、表示部８を視認するのが困難な場合であっても、線間電圧Ｖｄの値を確実に認識することができる。
【００４６】
さらに、所定の確度（測定値が真の値にどれだけ近いかを表すパラメータ）が確保される測定値の範囲として規定された測定可能範囲内であるか否かを判別する判別部を設けて、測定値が測定可能範囲内であると判別部によって判別されたときに、測定した線間電圧Ｖｄがその測定可能範囲であるか否かを、文字表示、音声出力およびランプ点灯などで報知する構成を採用することもできる。この構成によれば、線間電圧Ｖｄが測定可能範囲である旨が報知された時点で線間電圧Ｖｄを表示させる（または、表示されている線間電圧Ｖｄの値をその報知時点で読み取る）ことで、線間電圧Ｖｄのより正確な測定を行うことができる。
【００４７】
また、線間電圧Ｖｄの値を示す数字を表示部８に表示させる例について上記したが、図６に示すように、その長さで線間電圧Ｖｄの値の大小を示すバーグラフを表示部８に表示させることもできる。また、図７に示すように、バーグラフおよび数字の双方を表示部８に表示させることもできる。この場合、図８に示すように、表示部８とは別の表示部８ａを設けて、数字およびバーグラフの双方を２つの表示部８，８ａに別々に表示させる構成を採用することもできる。この構成によれば、線間電圧Ｖｄの値をバーグラフによって直感的に認識させることができる。
【００４８】
さらに、測定ユニット２ａ，２ｂにおける各々の接続端子５１をケーブル５２で接続した例について上記したが、例えば、バッテリー１０を測定ユニット２ａ，２ｂの双方に収容すると共に、測定ユニット２ａの測定部５ａから出力される電圧データＤｖを測定ユニット２ｂに対して無線送信することで、ケーブル５２の配設を省くこともできる。
【図面の簡単な説明】
【００４９】
【図１】線間電圧測定装置１の構成を示す斜視図である。
【図２】線間電圧測定装置１の構成を示す構成図である。
【図３】線間電圧測定装置１を用いた線間電圧Ｖｄの測定方法を説明するための説明図である。
【図４】測定ユニット１０２の構成を示す斜視図である。
【図５】鍔部２０１ｂを取り付けた状態の測定ユニット２の斜視図である。
【図６】線間電圧Ｖｄの表示態様を説明するための第１の説明図である。
【図７】線間電圧Ｖｄの表示態様を説明するための第２の説明図である。
【図８】線間電圧Ｖｄの表示態様を説明するための第３の説明図である。
【符号の説明】
【００５０】
１  線間電圧測定装置
２ａ，２ｂ，１０２  測定ユニット
３ａ，３ｂ  ケース本体
４ａ，４ｂ  検出部
５ａ，５ｂ  測定部
６ａ，６ｂ  ランプ
７  操作部
８，８ａ  表示部
９  制御部
１０  バッテリー
２２  先端部
２３  中央部
３１  バッテリー収容部
７１  電源スイッチ
７２  測定ボタン
１００ａ，１００ｂ  被覆電線
１２２  先端部
１２３  把持部
２０１ａ，２０１ｂ  鍔部
Ｖｄ  線間電圧
【図１】
2009244131.tif 000003
【図２】
2009244131.tif 000004
【図３】
2009244131.tif 000005
【図４】
2009244131.tif 000006
【図５】
2009244131.tif 000007
【図６】
2009244131.tif 000008
【図７】
2009244131.tif 000009
【図８】
2009244131.tif 000010